(57)【要約】【課題】猫の足から砂が十分に落ちることが期待でき、しかも、装置を設置する室内の状況に合わせて、大きさや形を自在に決めることを可能とする。【解決手段】左右上下に隣接する同形の一群の各箱７は、共通の位置に、横孔９あるいは縦孔１１を有して、隣接する箱７と連通する。１段目の少なくとも１つの箱７に出入口１５が形成され、一群の箱７のうち他の箱７に砂のトイレ５が設けられる。これら横孔９、縦孔１１、出入口１５、および砂のトイレ５を通って猫３の通過ルート２１が形成される。そして、この通過ルート２１のうち猫３が砂のトイレ５から戻る部分に、必ず、縦孔１１を含むことにより、猫３が昇降動作を強いられ、足から砂が落ちる。しかも、装置を構成する各箱７は、同形であり、共通の位置に横孔９や縦孔１１を有するので、装置を設置する室内の状況に合わせて、大きさや形を自在に決めることが可能となる。【選択図】図１
2012044906.tif 000002
【特許請求の範囲】
【請求項１】
飼い猫が砂のトイレから戻る際に砂が振るい落とされる猫トイレにおいて、左右上下に隣接する同形の一群の箱と、これら各箱が共通の位置に有することで、左または右に隣接する箱へ連通する横孔、あるいは上または下に隣接する箱へ連通する縦孔と、前記一群の箱のうち１段目の少なくとも１つの箱に形成された出入口と、前記一群の箱のうち１段目の他の箱に設けられる砂のトイレと、前記横孔、前記縦孔、前記出入口、および前記砂のトイレを通って形成される猫の通過ルートと、を有し、この通過ルートが、猫が砂のトイレから戻る部分で、前記縦孔を含むことにより猫が昇降動作を強いられることを特徴とする猫トイレである。
【請求項２】
前記一群の箱は、Ｍ列Ｎ段の一群の箱であり、この（Ｍ，Ｎ）の組合せは（２，３）（２，４）（３，３）（３，２）（４，２）の中のいずれか１つであることを特長とする請求項１に記載の猫トイレ。
【発明の詳細な説明】
【技術分野】
【０００１】
この発明は、飼い猫が砂のトイレから戻る際に砂が振るい落とされる猫トイレの構造に関する。
【背景技術】
【０００２】
飼い猫が砂のトイレで用を足し、トイレから戻る際には、足などに付いた砂が、トイレ以外の周囲に落ちることが多く、掃除が大変である。
このため、特許文献１には、トイレから戻る猫の足の砂が落とされるように、猫トイレに格子状の砂除去板を設けたものが提案される。
また、特許文献２には、猫のトイレの砂落としマットが、一段高い段差面に設けられたものが提案される。
しかし、特許文献１のように、格子状の砂除去板の上を猫が歩いて通るだけでは砂はなかなか落ちない。また、特許文献２のように、猫が一段高い段差面に戻る際に昇る動作をするようにすれば、歩くだけよりは、いくらか落ち易いかもしれないが、十分に落ちることは期待できない。
【０００３】
これに対し、仮に、段差を高くし、猫がジャンプする昇降動作を何回か行わせれば、砂が十分に落ちることが期待できる。
しかしながら、そのためには、段差面を複数形成する必要があり、猫のトイレが大型化してしまう。このため、猫のトイレを設置する設置スペースを室内などに確保し難くなる。
そこで出願人は既に特許文献３のように工夫し特許を取得している。
すなわち、この特許文献３では、箱状の外ケースの内部を上下の隔壁と、踏板とで複数の部屋に区切る。そして、下部の一方の部屋に砂のトイレを設け、これらの部屋を昇降空間や上部連通孔で連通させ、下部の他方の部屋に出入口を設ける。これにより、猫は、出入り口から入り、砂のトイレで用を足し出入り口に戻るまでに、例えば逆Ｖ字状の昇降動作をする。
【０００４】
従って、トイレの砂が猫の足から十分に落ちることが期待できる。また、この猫トイレの装置は、縦方向の空間を使用することで、左右方向のスペースをあまり必要としないことから、コンパクトで設置スペースを確保し易いものになる。
【先行技術文献】
【特許文献】
【０００５】
【特許文献１】特開２００２−０３４３８０
【特許文献２】実用新案登録第３０６９７８９
【特許文献３】特許第４２４７３０２
【発明の概要】
【発明が解決しようとする課題】
【０００６】
しかしながら、特許文献３では、箱状の外ケースの内部を上下の隔壁と、踏板とで複数の部屋に区切る構造になっており、全体として大きな箱状の外ケースを必要とし、一体的な大きな家具のような装置体裁となる。
このため、装置を設置する室内の状況に合わせて、大きさや形を自在に決めることができない。また、分解、運搬、組み立てが不便である。
この発明は、以上の問題点を解決するために、猫の足から砂が十分に落ちることが期待でき、しかも、装置を設置する室内の状況に合わせて、大きさや形を自在に決められ、分解、運搬、組み立てが容易な猫トイレを提供することを目的とする。
【課題を解決するための手段】
【０００７】
以上の課題を解決するために、第一発明は、飼い猫が砂のトイレから戻る際に砂が振るい落とされる猫トイレにおいて、左右上下に隣接する同形の一群の箱と、これら各箱が共通の位置に有することで、左または右に隣接する箱へ連通する横孔、あるいは上または下に隣接する箱へ連通する縦孔と、前記一群の箱のうち１段目の少なくとも１つの箱に形成された出入口と、前記一群の箱のうち１段目の他の箱に設けられる砂のトイレと、前記横孔、前記縦孔、前記出入口、および前記砂のトイレを通って形成される猫の通過ルートと、を有し、この通過ルートが、猫が砂のトイレから戻る部分で、前記縦孔を含むことにより猫が昇降動作を強いられることを特徴とする猫トイレである。
【０００８】
第二発明は、更に、前記一群の箱は、Ｍ列Ｎ段の一群の箱であり、この（Ｍ，Ｎ）の組合せは（２，３）（２，４）（３，３）（３，２）（４，２）の中のいずれか１つであることを特長とする猫トイレである。
【発明の効果】
【０００９】
第一、又は第二発明によれば、猫は、横孔、縦孔、出入口、および砂のトイレを通って形成される猫の通過ルートを通過し、この通過ルートが、猫が砂のトイレから戻る部分で縦孔を含むことにより、猫が上又は下へジャンプする昇降動作を強いられるので、猫の足から砂が十分に落ちることが期待できる。しかも、猫トイレの装置を構成する各箱は、同形であり、共通の位置に横孔や縦孔を有することで、装置を設置する室内の状況に合わせて、隣接させ組み立て、装置の大きさや形を自在に決めることが可能となる。また、分解、運搬、組み立てが容易である。 
【図面の簡単な説明】
【００１０】
【図１】この発明の第一実施形態を示す猫トイレを示すもので、（Ａ）は全体外観図、（Ｂ）は分解説明図である。
【図２】この発明の第二実施形態を示す猫トイレを示すもので、（Ａ）は全体外観図、（Ｂ）は分解説明図である。
【図３】この発明の第三実施形態を示す猫トイレを示すもので、（Ａ）は全体外観図、（Ｂ）は分解説明図である。
【図４】この発明の第四実施形態を示す猫トイレを示すもので、（Ａ）は全体外観図、（Ｂ）は分解説明図である。
【図５】この発明の第五実施形態を示す猫トイレを示すもので、（Ａ）は全体外観図、（Ｂ）は分解説明図である。
【図６】この発明の第六実施形態を示す猫トイレを示すもので、（Ａ）は全体外観図、（Ｂ）は分解説明図である。
【発明を実施するための形態】
【００１１】
「第一実施形態」
この発明の第一実施形態にかかる猫トイレを、図１に示す。
この猫トイレ１は、飼い猫３が砂のトイレ５から戻る際に砂が振るい落とされる。
この猫トイレ１の装置は、左右上下に隣接する同形の一群の箱７からなる。これら一群の箱７は、Ｍ列Ｎ段の一群の箱７であり、この（Ｍ，Ｎ）の組合せは、この実施形態では（２，３）である。
各箱７は、共通の位置に、左または右に隣接する箱７へ連通する横孔９、あるいは上または下に隣接する箱７へ連通する縦孔１１を有する。各箱７の前面には、掃除などの便宜のために開き扉１３が設けられる。これら一群の箱７のうち、右列１段目の箱７に出入口１５が形成される。また、一群の箱７のうち左列１段目の箱７に、砂のトイレ５が設けられる。
【００１２】
各箱７を詳しく説明する。
この右列１段目の箱７に設けられる出入口１５は、この箱７の前面に設けられる開き扉１３に形成される。また、上面に縦孔１１が形成される。
右列２段目の箱７には、下面と上面に各々縦孔１１が形成される。同じ箱７に形成されるこれら縦孔１１は、前後にずれて形成されることで、縦孔１１を通過する猫３が足場を確保する。左側面には横孔９が形成される。同じ箱７に形成される横孔９と、下面の縦孔１１は、前後にずれて形成されることで、通過する猫３が足場を確保する。これらの孔の位置のずれは、他の箱７、および他の実施形態の箱７でも同じである。
【００１３】
右列３段目の箱７には、下面に縦孔１１が形成される。左側面には横孔９が形成される。
左列１段目の箱７には、乾いた砂が敷き詰められて、砂のトイレ５が設けられる。上面に縦孔１１が形成される。
左列２段目の箱７には、上下面に各々縦孔１１が前後にずれて形成される。右側面に横孔９が形成される。この横孔９には、一方通行用の一方ドア１７が設けられる。すなわち、この横孔９の図中左側に、この横孔９を覆う大きな一方ドア１７が蝶番１９によって、取付けられる。一方ドア１７のサイズは、横孔９よりも大きいので、右側から猫３に押圧されて開くものの、左側から押圧されても開らかない構造となる。また、蝶番１９は図示しないバネを有し、このバネにより左側から付勢され、よって、一方ドア１７は通常は閉じている。  
左列３段目の箱７には、下面に縦孔１１が形成される。右側面に横孔９が形成される。  
【００１４】
以上のように各箱７の孔９、１１などの構造が設定されることで、猫３の通過ルート２１（図１（Ａ））は、下記［１］〜［９］（図１（Ｂ））のようになる。
すなわち、猫３は、右列１段目の箱７の出入口１５を入り（図中［１］）、縦孔１１から、右列２段目の箱７へ上へジャンプする昇降動作を行ない（図中［２］）、横孔９から、左列２段目の箱７へ移り（図中［３］）、縦孔１１から、左列１段目の箱７へ下へジャンプする昇降動作を行ない（図中［４］）、砂のトイレ５で用を足す。
【００１５】
用を足した猫３は、縦孔１１から、左列２段目の箱７へ上へジャンプする昇降動作を行ない（図中［５］）、さらに、縦孔１１から、左列３段目の箱７へ上へジャンプする昇降動作を行ない（図中［６］）、横孔９から、右列３段目の箱７へ移り（図中［７］）、縦孔１１から、右列２段目の箱７へ下へジャンプする昇降動作を行ない（図中［８］）、さらに、縦孔１１から、右列１段目の箱７へ下へジャンプする昇降動作を行ない（図中［９］）、出入口１５から出る。
このようにして、図１（Ａ）の一点鎖線で示すように、猫３の通過ルート２１が形成される。この通過ルート２１は、上述したように、横孔９、縦孔１１、出入口１５、一方ドア１７、および砂のトイレ５を通って形成される。
【００１６】
「実施形態の効果」
通過ルート２１には、猫３が砂のトイレ５から戻る部分が逆Ｕ字形状に形成され、その途中に縦孔１１を含むことにより、猫３が上又は下へジャンプする昇降動作を強いられる。この昇降動作は、この実施形態においては、上へ２回、下へ２回、合計４回あり、猫３の足から砂が十分に落ちることが期待できる。
【００１７】
しかも、猫トイレ１の装置を構成する各箱７は、同形であり、共通の位置に横孔９や縦孔１１を有することで、装置を設置する室内の状況に合わせて、隣接させ組み立て、装置の大きさや形を自在に決めることが可能となる。
例えば、室内で上部のスペースに余裕ができ、背の高い装置への変更が可能となったときには、後述する第二実施形態のように構成できるが、その場合に、各列の下２段の箱７は、この第一実施形態のものがそのまま利用できる。また、後述する第三〜第六実施形態の装置への変更を行なうときにも、この第一実施形態のいくつかの箱７をそのまま利用できる。このようにして装置の大きさや形をある程度自在に決めることができると、いえる。
【００１８】
また、猫トイレ１の装置を構成する隣接する各箱７は、互いに接着などする必要はないので、各箱７へと容易に分解できる。また、分解した状態で運搬できるので、運搬が楽である。また、組み立ても、各箱７を単に隣接させ積み重ねればいいので、容易である。
【００１９】
「他の実施形態」
以上の実施形態では、一方ドア１７を設けることで、猫３が全ての箱７の中を通過するようにしたが、他の実施形態では、一方ドア１７は無くても構わない。無い場合には、猫３は横孔９を近道して戻ってきてしまう可能性があり、その場合には、３段目の２つの箱７は、猫３は通過せず、よって砂が振るい落とされるという機能には寄与しないことになるが、気まぐれな猫３が遊ぶ空間としては機能する。
【００２０】
以上の実施形態では、各箱７は、横孔９、縦孔１１、出入口１５の数や位置が予め別個に設けられていたが、他の実施形態では、各箱７を樹脂製で完全に同じ仕様とすることができる。すなわち、左右各側面に前後に２つの横孔９、上下各面に前後に２つの縦孔１１、前面の開きドアには出入口１５が予め全て設けられ、これらには仮の蓋が設けられ、蓋の周囲には、図示しない肉厚の薄い部分が形成される。そして、横孔９、縦孔１１、出入口１５が必要な位置で、その薄い部分をカッターで切断することで仮の蓋を取り除く。こうすることで、各箱７を完全に同じ仕様としながら、横孔９、縦孔１１、出入口１５の数や位置を、装置の組み立て現場で、任意に、必要に応じて、別個に設けることができる。換言すれば、完全に同じ仕様の複数の箱を用い、現場で一部をカッターで切断作業することで、この発明の装置を組み立てることができる。なお、一方ドア１７は蝶番１９と共に、別に用意され、必要な箇所に取付けられる。
【００２１】
「第二実施形態」
第二実施形態にかかる猫トイレ１を、図２に示す。これらＭ列Ｎ段の一群の箱７では、この（Ｍ，Ｎ）の組合せは、この実施形態では（２，４）である。図１に示した第一実施形態にかかる猫トイレ１と比べ、背の高い装置になっているが、各列の下２段の箱７は、この第一実施形態のものがそのまま利用できる。
【００２２】
右列３段目の箱７には、上下面に縦孔１１が形成される。右列４段目の箱７には、下面に縦孔１１が形成される。左側面には横孔９が形成される。左列３段目の箱７には、上下面に縦孔１１が形成される。左列４段目の箱７には、下面に縦孔１１が形成される。右側面に横孔９が形成される。
【００２３】
このようにして、図２（Ａ）の一点鎖線で示すように、猫３の通過ルート２１が同図（Ｂ）中［１］〜［１１］のように形成される。通過ルート２１には、猫３が砂のトイレ５から戻る部分が逆Ｕ字形状に形成されるが、その逆Ｕ字形状は縦により長くなっており、その途中に縦孔１１をより多く含む。よって、猫３が上又は下へジャンプする昇降動作をより多数強いられる。すなわち、この昇降動作は、この実施形態においては、上へ３回、下へ３回、合計６回あり、猫３の足から砂がより十分に落ちることが期待できる。
【００２４】
「第三実施形態」
第三実施形態にかかる猫トイレ１を、図３に示す。これらＭ列Ｎ段の一群の箱７では、この（Ｍ，Ｎ）の組合せは、この実施形態では（３，３）である。図１に示した第一実施形態にかかる猫トイレ１と比べ、横へ広い装置になっているが、右列全段と中央列の下２段の箱７、および右列３段目の箱７は、この第一実施形態のものがそのまま利用できる。また、砂のトイレ５は、２箇所に設けられる。
【００２５】
中央列３段目の箱７には、下面に縦孔１１が形成される。左右各側面には横孔９が形成される。左列１段目の箱７には、乾いた砂が敷き詰められて、２つ目の砂のトイレ５が設けられる。上面に縦孔１１が形成される。
左列２段目の箱７には、上下面に各々縦孔１１が前後にずれて形成される。右側面に横孔９が形成される。この横孔９には、２つ目の一方通行用の一方ドア１７が設けられる。左列３段目の箱７には、下面に縦孔１１が形成される。右側面に横孔９が形成される。
【００２６】
このようにして、図３（Ａ）の一点鎖線と２点鎖線で示すように、３つの猫３の通過ルート２１が、同図（Ｂ）中［１］〜［１１］、「１」〜「１１」、＜１＞〜＜９＞のように形成される。
２つの砂のトイレ５は、例えば、２匹の猫３により、使い分けられる。猫３は、自分の排便のにおいのする別々のトイレで用を足す。用を足した後には、通常は最短距離で出口に向かう。２点鎖線で示す通過ルート２１は、用を足した後に、右側の一方ドア１７に阻まれ、左または上の２つに分岐し、上へ分岐したものが３つめの通過ルート２１を形成する。
【００２７】
各通過ルート２１には、猫３が砂のトイレ５から戻る部分が逆Ｕ字形状に形成され、それぞれの通過ルート２１で昇降動作は、上へ２回、下へ２回、合計４回あり、どの通過ルート２１でも猫３の足から砂が十分に落ちることが期待できる。
【００２８】
「第四実施形態」
第四実施形態にかかる猫トイレ１を、図４に示す。これらＭ列Ｎ段の一群の箱７では、この（Ｍ，Ｎ）の組合せは、この実施形態では（３，２）である。図１に示した第一実施形態にかかる猫トイレ１と比べ、背の低い装置になっているが、右列と左列の１段目の箱７は、この第一実施形態のものがそのまま利用できる。また、出入口１５は、２箇所に設けられる。
【００２９】
右列２段目の箱７には、上面に縦孔１１が形成される。左側面には横孔９が形成される。
中央列１段目の箱７には、前面の開き扉１３に２つめの出入口１５が設けられる。上面に縦孔１１が形成される。
中央列２段目の箱７には、下面に縦孔１１が形成される。この縦孔１１には、一方通行用の一方ドア１７が設けられる。すなわち、この縦孔１１の図中上側に、この縦孔１１を覆う大きな軽い一方ドア１７が、蝶番１９によって、取付けられる。一方ドア１７のサイズは、横孔９よりも大きいので、下側から猫３に押圧されて開くものの、上側から押圧されても開らかない構造となる。また、一方ドア１７は自重により、通常は閉じている。左右各側面には横孔９が形成される。
左列２段目の箱７には、下面に縦孔１１が形成される。右側面に横孔９が形成される。
【００３０】
このようにして、図４（Ａ）の一点鎖線で示すように、猫３の通過ルート２１が同図（Ｂ）中［１］〜［８］のように形成される。出入口１５が異なる。この通過ルート２１にも、猫３が砂のトイレ５から戻る部分が逆Ｕ字形状に形成されるが、その逆Ｕ字形状は横により長くなっており、その途中に縦孔１１を１つだけ含む。よって、猫３が上又は下へジャンプする昇降動作を強いられる。すなわち、この昇降動作は、この実施形態においては、上へ１回、下へ１回、合計２回あり、猫３の足から砂が落ちることが期待できる。出入口１５が異なることで、猫３は、砂の落ちていないきれいな出口から出ることができる。
なお、この実施形態では、中央列２段目の箱７の縦孔１１に一方通行用の一方ドア１７が設けられるものとしたが、これを止めて、中央列１段目の箱７の出入口１５に同様の一方ドアを設け、同じように同図（Ａ）の一点鎖線で示す通過ルート２１を得られる。すなわち、この場合に、用を足した猫は、中央列２段目の箱７の縦孔１１から下へジャンプできるものの、出入口１５に設けられた一方ドアに阻まれ出入口１５から出られないので、再び、上へジャンプして元の通過ルート２１へ戻ることになる。また、学習により、下へジャンプしなくなり、はじめから通過ルート２１を通ることが期待できる。
【００３１】
「第五実施形態」
第五実施形態にかかる猫トイレ１を、図５に示す。これらＭ列Ｎ段の一群の箱７では、この（Ｍ，Ｎ）の組合せは、この実施形態では（４，２）である。図４に示した第四実施形態にかかる猫トイレ１と比べ、横に広い装置になっているが、右列、および左列の箱７は、この第四実施形態のものがそのまま利用できる。
【００３２】
中央右列１段目の箱７には、左右各側面に横孔９が形成される。中央右列２段目の箱７には、左右各側面に横孔９が形成される。中央左列１段目の箱７には、前面の開き扉１３に２つめの出入口１５が設けられる。上面に縦孔１１が形成される。左右各側面に横孔９が形成される。中央左列２段目の箱７には、下面に縦孔１１が形成される。左右各側面に横孔９が形成される。
このようにして、図５（Ａ）の一点鎖線で示すように、猫３の通過ルート２１が、同図（Ｂ）の［１］〜［９］のように形成される。出入口１５が異なる。この通過ルート２１にも、猫３が砂のトイレ５から戻る部分が逆Ｕ字形状に形成されるが、その逆Ｕ字形状は横に更により長くなっており、その途中に縦孔１１を含む。よって、猫３が上又は下へジャンプする昇降動作を強いられる。すなわち、この昇降動作は、この実施形態においては、上へ１回、下へ１回、合計２回あり、猫３の足から砂が落ちることが期待できる。出入口１５が異なることで、猫３は、砂の落ちていないきれいな出口から出ることができる。  なお、中央右列１段目の箱７は、通過ルート２１が通らず、ある意味では猫３の足から砂が落ちる機能に寄与しないが、猫が左右に通過して遊ぶ空間としては機能する。
なお、この実施形態では、中央左列２段目の箱７の縦孔１１に一方通行用の一方ドア１７が設けられるものとしたが、これを止めて、中央左列１段目の箱７の出入口１５に同様の一方ドアを設け、同じように同図（Ａ）の一点鎖線で示す通過ルート２１を得られる。すなわち、この場合に、用を足した猫は、中央左列２段目の箱７の縦孔１１から下へジャンプできるものの、出入口１５に設けられた一方ドアに阻まれ出入口１５から出られないので、再び、上へジャンプして元の通過ルート２１へ戻ることになる。また、学習により、下へジャンプしなくなり、はじめから通過ルート２１を通ることが期待できる。
【００３３】
「第六実施形態」
第六実施形態にかかる猫トイレ１を、図６に示す。これらＭ列Ｎ段の一群の箱７では、この（Ｍ，Ｎ）の組合せは、この実施形態では（４，２）である。図５に示した第五実施形態にかかる猫トイレ１と比べ、砂のトイレ５が２箇所に設けられるが、右列全段、中央右列全段、および左列全段の箱７は、この第５実施形態のものがそのまま利用できる。
【００３４】
中央左列１段目の箱７には、乾いた砂が敷き詰められて、２つ目の砂のトイレ５が設けられる。上面に縦孔１１が形成される。中央右列２段目の箱７には、左右各側面に横孔９が形成される。下面に縦孔１１が形成される。
このようにして、図６（Ａ）の一点鎖線と２点鎖線で示すように、２つの猫３の通過ルート２１が形成される。２つの砂のトイレ５は、例えば、２匹の猫３により、使い分けられる。猫３は、自分の排便のにおいのするトイレで用を足す。
この通過ルート２１にも、猫３が砂のトイレ５から戻る部分が逆Ｕ字形状に形成されるが、その逆Ｕ字形状は、その途中に縦孔１１を含む。よって、猫３が上又は下へジャンプする昇降動作を強いられる。すなわち、この昇降動作は、この実施形態においては、上へ１回、下へ１回、合計２回あり、猫３の足から砂が落ちることが期待できる。出入口１５が異なることで、猫３は、砂の落ちていないきれいな出口から出ることができる。
なお、この実施形態では、中央右列２段目の箱７の縦孔１１に一方通行用の一方ドア１７が設けられるものとしたが、これを止めて、中央右列１段目の箱７の出入口１５に同様の一方ドアを設け、同じように同図（Ａ）の鎖線で示す通過ルート２１を得られる。すなわち、この場合に、用を足した猫は、中央右列２段目の箱７の縦孔１１から下へジャンプできるものの、中央右列１段目の箱７の出入口１５に設けられた一方ドアに阻まれ出入口１５から出られないので、再び、上へジャンプして元の通過ルート２１へ戻ることになる。また、学習により、下へジャンプしなくなり、はじめから通過ルート２１を通ることが期待できる。
【符号の説明】
【００３５】
１…猫トイレ、３…猫、５…砂のトイレ、７…箱、９…横孔、１１…縦孔、１３…開き扉、１５…出入口、１７…一方ドア、１９…蝶番、２１…通過ルート。
【図１】
2012044906.tif 000003
【図２】
2012044906.tif 000004
【図３】
2012044906.tif 000005
【図４】
2012044906.tif 000006
【図５】
2012044906.tif 000007
【図６】
2012044906.tif 000008